【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
治療光を患者の目の方に送出する手持ち式緑内障処置デバイスであって、前記手持ち式緑内障処置デバイスは、
ユーザの手により把持するハンドルを画定し、近位端部及び前記近位端部の反対側の遠位端部を有する処置デバイス筐体；
前記処置デバイス筐体内に配設した治療光源；
前記処置デバイス筐体内に配設し、前記治療光源によって生成した治療光を前記処置デバイス筐体の前記遠位端部の方に向けるように構成した光学機器；
近位端部及び遠位端部を有する取り替え可能接触先端部材
を備え、前記取り替え可能接触先端部材の前記近位端部は、前記処置デバイス筐体の前記遠位端部と取り外し可能に結合するように構成し、前記取り替え可能接触先端部材の前記遠位端部は、目の表面と結合するように構成した接触表面を備え、前記取り替え可能接触先端部材は、前記治療光源によって生成した治療光を、前記処置デバイス筐体内に収容した前記光学機器を介して受け、前記受けた治療光を目の方に向けるように構成する、手持ち式緑内障処置デバイス。
【請求項２】
前記処置デバイス筐体内に配設し、前記治療光源に電力供給するように構成した電源を更に備える、請求項１に記載の手持ち式緑内障処置デバイス。
【請求項３】
前記電源は電池を備える、請求項２に記載の手持ち式緑内障処置デバイス。
【請求項４】
前記取り替え可能接触先端部材の形状は、劈開若しくは研磨から作製した平坦表面であるか、又はエッチング若しくは焼成法により作製した湾曲表面である、請求項１〜３のいずれか一項に記載の手持ち式緑内障処置デバイス。
【請求項５】
前記取り替え可能接触先端部材の前記近位端部と前記処置デバイス筐体の前記遠位端部とを結合する可撓性光結合器を更に備える、請求項１〜４のいずれか一項に記載の手持ち式緑内障処置デバイス。
【請求項６】
前記可撓性光結合器は、近位端部及び遠位端部を有する可撓性光ファイバを備え、前記可撓性光ファイバの前記近位端部は、近位接続器と結合し、前記可撓性光ファイバの前記遠位端部は、遠位接続器と結合し、前記近位接続器は、前記取り替え可能接触先端部材の近位端部上の係合特徴部と同じ構成を有する係合特徴部を備え、前記遠位接続器は、前記処置デバイス筐体の遠位端部上の係合特徴部と同じ構成を有する係合特徴部を備える、請求項５に記載の手持ち式緑内障処置デバイス。
【請求項７】
前記取り替え可能接触先端部材の前記遠位端部の前記接触表面は、患者の目に対する光ビームの入射角度を制御するように傾斜している、請求項１から６のいずれか一項に記載の手持ち式緑内障処置デバイス。
【請求項８】
前記取り替え可能接触先端部材は、前記取り替え可能接触先端部材の前記近位端部から前記遠位端部までの細長軸を画定し、前記治療光は、前記細長軸に沿って遠位に放出され、前記取り替え可能接触先端部材の前記遠位端部の前記接触表面は、前記取り替え可能接触先端部材により画定する前記細長軸に対して直交しない角度にある、請求項１から７のいずれか一項に記載の手持ち式緑内障処置デバイス。
【請求項９】
前記取り替え可能接触先端部材の前記遠位端部の前記接触表面は、前記取り替え可能接触先端部材により画定する前記細長軸に対して３０〜６０度の角度である、請求項８に記載の手持ち式緑内障処置デバイス。
【請求項１０】
前記取り替え可能接触先端部材の前記遠位端部は、目の一部分の湾曲に一致するように凹形である、請求項１〜９のいずれか一項に記載の手持ち式緑内障処置デバイス。
【請求項１１】
前記取り替え可能接触先端部材の前記遠位端部は、凸形であり、丸みを帯びた縁部を含み、前記取り替え可能接触先端部材の前記接触表面が目の表面にわたって掃引できるようにする、請求項１〜１０のいずれか一項に記載の手持ち式緑内障処置デバイス。
【請求項１２】
前記取り替え可能接触先端部材は、内部ビーム生成光学機器を備え、前記内部ビーム生成光学機器は、前記処置デバイス筐体内に収容した前記光学機器と光学的に結合するように構成する、請求項１〜１１のいずれか一項に記載の手持ち式緑内障処置デバイス。
【請求項１３】
前記取り替え可能接触先端部材の前記光学機器は、光ファイバを備え、前記光ファイバは、前記取り替え可能接触先端部材を前記処置デバイス筐体と結合した際に前記処置デバイス筐体内に収容した前記光学機器と光学的に結合する近位端部、及び前記取り替え可能接触先端部材の前記接触表面から突出する遠位端部を有する、請求項１２に記載の手持ち式緑内障処置デバイス。
【請求項１４】
前記光ファイバの前記遠位端部は、前記取り替え可能接触先端部材の前記接触表面から１ｍｍ以下突出する、請求項１３に記載の手持ち式緑内障処置デバイス。
【請求項１５】
前記光ファイバの前記遠位端部は、前記取り替え可能接触先端部材の前記接触表面から６ｍｍ以上突出する、請求項１３に記載の手持ち式緑内障処置デバイス。
【請求項１６】
前記取り替え可能接触先端部材の前記近位端部は、螺入係合を通じて前記処置デバイス筐体の前記遠位端部と結合する、請求項１〜１５のいずれか一項に記載の手持ち式緑内障処置デバイス。
【請求項１７】
前記取り替え可能接触先端部材の前記近位端部は、スナップ嵌合係合を通じて前記処置デバイス筐体の前記遠位端部と結合する、請求項１〜１６のいずれか一項に記載の手持ち式緑内障処置デバイス。
【請求項１８】
前記取り替え可能接触先端部材は、前記治療光源によって生成した治療光を受け、前記治療光を複数の個別のより小さなスポットにマッピングするように構成する、請求項１〜１７のいずれか一項に記載の手持ち式緑内障処置デバイス。
【請求項１９】
前記取り替え可能接触先端部材は、１ｍｍスポット・サイズを有する入力光を受け、１ｍｍスポット・サイズを有する前記入力光を複数の１０μｍ以下のスポットにマッピングする、請求項１８に記載の手持ち式緑内障処置デバイス。
【請求項２０】
前記取り替え可能接触先端部材は、前記受けた治療光を４９個のより小さなスポットにマッピングするように構成する、請求項１８に記載の手持ち式緑内障処置デバイス。
【請求項２１】
前記取り替え可能接触先端部材は、第１の取り替え可能接触先端部材であり、前記手持ち式緑内障処置デバイスは、近位端部及び遠位端部を有する第２の取り替え可能接触先端部材を更に備え、前記第２の取り替え可能接触先端部材の前記近位端部は、前記処置デバイス筐体の前記遠位端部と結合するように構成し、前記第２の取り替え可能接触先端部材の前記遠位端部は、目の表面と接触するように構成した接触表面を備え、前記第２の取り替え可能接触先端部材の前記遠位端部は、前記第１の取り替え可能接触先端部材の前記遠位端部とは異なる構成を有する、請求項１〜２０のいずれか一項に記載の手持ち式緑内障処置デバイス。
【請求項２２】
前記第１の取り替え可能接触先端部材は、第１のコンピュータ可読コードを備え、前記第２の取り替え可能接触先端部材は、第２のコンピュータ可読コードを備え、前記処置デバイス筐体は、前記第１のコンピュータ可読コード及び前記第２のコンピュータ可読コードを検出する走査器を含み、前記第１の取り替え可能接触先端部材及び前記第２の取り替え可能接触先端部材のどちらが前記処置デバイス筐体の前記遠位端部と結合しているかを決定する、請求項２１に記載の手持ち式緑内障処置デバイス。
【請求項２３】
前記治療光源のパラメータは、前記第１のコンピュータ可読コード及び前記第２のコンピュータ可読コードのどちらを前記走査器が検出したかに基づいて調節する、請求項２２に記載の手持ち式緑内障処置デバイス。
【請求項２４】
光信号及び電気信号が、前記取り替え可能先端部材と前記デバイス筐体との間を通過可能であるように構成した境界面を更に備え、前記取り替え可能接触先端部材は、光センサを備える、請求項１〜２３のいずれか一項に記載の手持ち式緑内障処置デバイス。
【請求項２５】
光信号及び電気信号が、前記取り替え可能先端部材と前記デバイス筐体との間を通過可能であるように構成した境界面を更に備え、前記取り替え可能接触先端部材は、暗号化チップを備える、請求項１から２４のいずれか一項に記載の手持ち式緑内障処置デバイス。
【請求項２６】
眼科レーザー処置システムであって、前記眼科レーザー処置システムは、
請求項１に記載の手持ち式処置デバイスと、
前記取り替え可能接触先端部材と目の周囲の１つ又は複数の処置位置とを位置合わせするため、目の表面に対して置かれるように構成した遠位表面、及び前記取り替え可能接触先端部材の前記遠位端部と接続するように構成した近位表面を有する処置案内部材
を備える、眼科レーザー処置システム。
【請求項２７】
前記処置案内部材は、目の角膜縁と位置合わせするように構成した内側縁部、前記目の強膜表面に対して置くように構成した前記遠位表面、及び前記接触先端部材の前記遠位端部と接続するように構成した前記近位表面
を備え、目の毛様体突起の周囲で前記接触先端部材を１つ又は複数の処置位置と位置合わせし、治療光を患者の目の方に送出する間、目に対する前記接触先端部材の接触圧力を制御する、請求項２６に記載の眼科レーザー処置システム。